(57)【要約】      （修正有）【課題】ゴミ袋を保持するために機械的な要素を使用することなく、簡単な構造であって容易にゴミ袋を確実に取付け・取外しができ、且つ取付けられたゴミ袋の容量いっぱいにゴミを収納できるゴミ袋保持具及びこれを用いたゴミ容器を提供する。【解決手段】ゴミ袋保持具は基台４に垂直に設けられた複数の金属製の支柱３と、上記支柱の上端部に、該支柱に対して直角に設けられた矩形又は円形の筒体形状のゴミ袋保持部とを備え、このゴミ袋保持部は、金属製筒体と弾性体からなり、該金属製筒体は該弾性体で被覆されている。ゴミ容器１００は、上記ゴミ袋保持具の備えるゴミ袋保持部にゴミ袋を装着したものである。ゴミ袋１０１はゴミ袋保持部に挿入して口縁部１０１Ｔを外側に折り返してゴミ袋保持部に装着し、ゴミ袋を両手で軽く下方に引っ張るだけで堅固に取付けることができる。【選択図】図７
0003155847.tif 000002
【実用新案登録請求の範囲】
【請求項１】
矩形又は円形の板状の金属製の基台と、
上記基台に垂直に設けられた複数の金属製の支柱と、
上記支柱の上端部に、該支柱に対して直角に設けられた矩形又は円形の筒体形状のゴミ袋保持部とを備え、
上記ゴミ袋保持部は、弾性体で被覆された金属製筒体からなることを特徴とするゴミ袋保持具。
【請求項２】
上記支柱は２本からなり、上記矩形の板状の金属製の基台の隣合う角部に垂直に設けられた請求項１に記載のゴミ袋保持具。
【請求項３】
上記支柱の２本に後板を設けた請求項２に記載のゴミ袋保持具。
【請求項４】
上記弾性体の材質はオレフィン系樹脂である請求項１乃至請求項３のいずれかに記載のゴミ袋保持具。
【請求項５】
請求項１乃至請求項４のいずれかに記載のゴミ袋保持具を用いて、該ゴミ袋保持具が備えるゴミ袋保持部にゴミ袋を挿入し、該ゴミ袋は口縁部を折り返して該ゴミ袋保持部に装着されたことを特徴とするゴミ容器。
【請求項６】
上記ゴミ袋の口縁部の周囲の寸法と上記ゴミ袋保持具の全周寸法との比が１０対９．８〜１０対７である請求項５記載のゴミ容器。
【請求項７】
更に、上記ゴミ袋の外側に化粧袋を備えた請求項５又は請求項６に記載のゴミ容器。
【請求項８】
蓋及び／又はキャスタを備えた請求項５乃至請求項７のいずれかに記載のゴミ容器。
【請求項９】
更に、上記蓋は上面に蝶番を備えた開閉部を有する請求項８に記載のゴミ容器。
【請求項１０】
上記開閉部の材質が、透明樹脂からなる請求項９に記載のゴミ容器。
【考案の詳細な説明】
【技術分野】
【０００１】
本願考案は、ゴミ袋保持具及びこれを用いたゴミ容器に関する。詳しくは、簡易な構造であって、ゴミ袋の取付け・取外しが容易であるゴミ袋保持具とこれを使用したゴミ収納能力の大きいゴミ容器に関する。
【背景技術】
【０００２】
従来のゴミ容器は、内部にゴミ袋を取付けるものが多く、このゴミ袋の取付けに工夫を凝らしたものが多く開示されている。例えば、ゴミ容器の開口部内側に、手指が入る程度の間隙を設けて環状フレームを支持腕により支持し、環状フレームの内側に、挿入した袋の余り部分を折り返して、落とし込むように形成されている（例えば、特許文献１参照）。
【０００３】
また、ゴミ容器に着脱可能であって、ゴミ容器用の袋を固定するゴミ容器用の袋取付け具が提案されている（例えば、特許文献２参照）。この袋取付け具は、ゴミ容器の開口部上端に取付けられる環状枠体を有する。この環状枠体は、薄肉ヒンジ部を介して折曲げ可能に一体状に連設された袋取付け部材を有し、この環状枠体の内面と、袋取付け部材の外面との間にゴミ袋上縁を挟持する機構を備えている。この袋取付け具は、その挟持機構が、相互に弾発的に係脱する雄部材と雌部材とすることにより、袋上縁を確実に挟持することができる。
【０００４】
上記のゴミ袋を取付ける方法は機械的にゴミ袋を固定するものであり、複雑な構造となりゴミ容器は高価になる。また、従来のゴミ容器は内側にゴミ袋を取付けたものであり、ゴミ袋の容積に関係なくゴミを収納できる量はゴミ容器の容積により限定されてしまう。更に、ゴミ容器の形状は下に向かってテーパになっているものが多いため、このゴミ容器に取付けたゴミ袋の容量を十分に活用できないきらいがあった。
【特許文献１】特開２００４−９１２０６号公報
【特許文献２】特開平１１−３０１８０６号公報
【考案の開示】
【考案が解決しようとする課題】
【０００５】
本願考案は、ゴミ袋を保持するために機械的な要素を使用することなく、簡単な構造であって容易にゴミ袋を確実に取付け・取外しができ、且つ取付けられたゴミ袋の容量いっぱいにゴミを収納できるゴミ袋保持具及びこれを用いたゴミ容器を提供する。このゴミ袋保持具及びゴミ容器は取り扱いが容易であるため、一般家庭のみならず、公共施設等のゴミを頻繁に取り扱う場所で利用される。
【課題を解決するための手段】
【０００６】
１．本願考案のゴミ袋保持具は、金属製の基台と、この基台に垂直に設けられた複数の金属製の支柱と、上記支柱の上端部に、該支柱に対して直角に設けられた矩形又は円形の筒体形状のゴミ袋保持部とを備え、上記ゴミ袋保持部は、弾性体で被覆された金属製筒体からなるきわめて簡易な構造である。樹脂等の弾性体で被覆されたゴミ袋保持部にゴミ袋の口縁部を折り返して、この保持具に取付ける。ゴミをこのゴミ袋に収納する等によりゴミ袋に下方向の力が働いた場合、この弾性体とゴミ袋の摩擦抵抗により堅固に固定される。この支柱は通常２本からなり、ゴミ袋保持部の下方は手が自由に挿入できる空間部を有するため、ゴミ袋の取付け・取外しは極めて容易である。
【０００７】
２．このゴミ袋保持具にゴミ袋を取付けた状態のものをゴミ容器という。上述のゴミ袋保持具が備える矩形状又は円形状のゴミ袋保持部にゴミ袋を挿入し、ゴミ袋は口縁部を外側に折り返してゴミ袋保持部に装着される。取付けたゴミ袋は両手で軽く下方向に引っ張ることによりゴミ袋保持部を被覆した弾性体と、ゴミ袋の摩擦抵抗により堅固に装着される。このゴミ袋保持部に装着されたゴミ袋は収納されたゴミの重みで外れるおそれはほとんどない。
【０００８】
３．好ましくは、上記ゴミ袋の口縁部の周囲の寸法と上記ゴミ袋保持具の全周寸法との比が１０対９．８〜１０対７であるゴミ袋を用いる。寸法比がこの範囲の場合はゴミ袋はゴミ保持具の備えるゴミ袋保持部にさらに堅固に装着されてゴミ袋は収納されたゴミの重みで外れることはない。このゴミ容器は基台にキャスタを備え、更に蓋を備えることができる。
【０００９】
４．即ち、本願発明は下記のとおりである。
（１）矩形又は円形の板状の金属製の基台と、上記基台に垂直に設けられた複数の金属製の支柱と、上記支柱の上端部に、該支柱に対して直角に設けられた矩形又は円形の筒体形状のゴミ袋保持部とを備え、上記ゴミ袋保持部は、弾性体で被覆された金属製筒体からなることを特徴とするゴミ袋保持具。
（２）上記支柱は２本からなり、上記矩形の板状の基台の隣合う角部に垂直に設けられたゴミ袋保持具。
（３）上記支柱の２本に後板を設けたゴミ袋保持具。
（４）上記弾性体の材質はオレフィン系樹脂であるゴミ袋保持具。
（５）上記ゴミ袋保持具を用いて、該ゴミ袋保持具が備えるゴミ袋保持部にゴミ袋を挿入し、該ゴミ袋は口縁部を折り返して該ゴミ袋保持部に装着されたことを特徴とするゴミ容器。
（６）上記ゴミ袋の口縁部の周囲の寸法と上記ゴミ袋保持具の全周寸法との比が１０対９．８〜１０対７であるゴミ容器。
（７）上記ゴミ袋の外側に化粧袋を備えたゴミ容器。
（８）蓋及び／又はキャスタを備えたゴミ容器。
（９）更に、上記蓋は上面に蝶番を備えた開閉部を有するゴミ容器。
（１０）上記開閉部の材質が、透明樹脂からなるゴミ容器。
【考案の効果】
【００１０】
本願ゴミ袋保持具は、ゴミ袋保持機構がゴミ袋保持部に被覆された弾性体と、ゴミ袋の摩擦力を利用したものであり、構造が簡単でゴミ袋の取付け・取外しが容易である。
又、支柱が２本である場合は、ゴミ袋保持部の下方の空間が大きくゴミ袋の取付け・取外しが一層容易である。
更に、この弾性体がオレフィン系樹脂である場合は摩擦力が大きく確実にゴミ袋を保持でき、且つ安価である。
【００１１】
上記ゴミ袋保持具を使用してゴミ袋を保持したゴミ容器は、従来技術の如くゴミ容器の壁面がないため、ゴミ袋の容量いっぱいにゴミを収納することができる。
又、ゴミ袋の口縁部の周囲の寸法と上記ゴミ袋保持具の全周寸法と、の比が１０対９．８〜１０対７である場合は、ゴミ袋はゴミ袋保持部に堅固に装着されるため、ゴミ袋に収納されるゴミの重量で外れることがない。
更に、ゴミ袋外側に化粧袋を備える場合は、ゴミが直接目に触れることがないため、見る者に清潔感を与える。
【００１２】
更に又、このゴミ容器が蓋を備える場合は、ゴミの種類が生ゴミであっても臭いをゴミ容器内に閉じ込める。また、基台にキャスタを備える場合はゴミを収納して重くなった場合であってもゴミ容器の移動が容易である。
又、上記の蓋に蝶番を備えた開閉部を有する場合はゴミ容器へのゴミの投入の便宜に資する。また、この開閉部の材質が透明樹脂である場合は、ゴミの内容が見えるためゴミの分別を誤ることがない。
【考案を実施するための最良の形態】
【００１３】
〔ゴミ袋保持具〕
本願ゴミ袋保持具を以下の図に基づいて説明する。図１は本願ゴミ袋保持具の斜視図である。以下の図において共通する部材には共通の符号（数字）を付している。本願ゴミ袋保持具１は金属製の基台４と、上記基台４に垂直に設けられた複数の金属製の支柱３と、上記支柱３の上端部に、該支柱３に対して直角に設けられた矩形又は円形の筒体形状のゴミ袋保持部２とを備え、上記ゴミ袋保持部２は、弾性体２１で被覆された金属製筒体２２からなる（図５参照）。
【００１４】
このゴミ袋保持具１に使用される金属材料の種類は特に限定されないが、通常は鉄、ステンレス又はアルミニュームが用いられる。鉄を使用する場合は塗装を施すことが好ましい。このゴミ袋保持具１が備えるゴミ袋保持部２の形状は、矩形又は円形の筒体形状である。矩形には正方形及び長方形が含まれ、円形には円及び楕円を含む。
【００１５】
上記基台４に垂直に設けられた金属製の支柱３の数は特に制限はないが、支柱は２本が好ましい。支柱の数が２本であるとゴミ袋保持部２の下方向の空間が大きく、ゴミ袋の取付け・取外しが容易となるためである。又、このゴミ袋保持具１が軽量となり取扱いが容易である上に製作費が安価となる。この支柱３の横断面形状は特に制限はないが、通常は長方形状のものが用いられる。支柱３が金属製の板形状であるとゴミ袋保持部２の取付けが容易かつ堅固になる。これらの支柱３は、後述の基台の周縁に取り付ける。また、基台４が矩形の場合は、支柱３の２本は図１に示すように基台４の隣合う角部に設ける。
【００１６】
この基台４の隣合う角部に取付けられた２本の支柱３には後板５を設けることが好ましい。図２は後板５の取付け説明図である。後板５を取付けるとゴミ袋保持具１の全体の剛性が増して、安定感が生じる。又、後板５を設けたゴミ袋保持具１を用いたゴミ容器にゴミを収納した場合に、見る者からゴミの内容を隠すことができるため美観が優れる。
図３は支柱３を一体に作製した後板５の取付け説明図である。支柱３と後板５は鋼板をプレス加工等で一体に作製する場合は仕上がりの美観に優れ、且つ作製工程が少なくなるため安価にゴミ袋保持具１を作成できる。
【００１７】
基台４の形状は、矩形又は円形である。この矩形又は円形に関しては上述のゴミ袋保持部２の形状がそのまま適用できる。特にゴミ袋保持部２の形状と同一形状にすることが好ましい。意匠的に優れるためである。これらの形状のうちで矩形が特に好ましい。ゴミ袋を備えたゴミ容器の設置場所を有効に利用できるためである。又、本願ゴミ容器１００を複数並べて使用するときに設置場所を有効利用できるためである。
【００１８】
本願ゴミ袋保持具１を構成するゴミ袋保持部２を構成する金属製筒体２２、支柱３及び基台４は溶接により組立てることができる。溶接によれば組立てが容易であり、完成後のゴミ袋保持具１の美的外観が優れるためである。
【００１９】
図４は図１に係る本願ゴミ袋保持具１の平面図であり、図５は図４に係るＡ−Ａ切断断面図である。上記ゴミ袋保持部２は、支柱３に対して直角に取付けられている。即ち、基台４とゴミ袋保持部２は平行に取付けられる。又、金属製筒体２２は弾性体２１で被覆されている。この弾性体２１の例としては、樹脂、ゴム及びエラストマが挙げられる。これらの内で特に弾性があり、柔軟性のある樹脂が好ましい。樹脂のうちで特にオレフィン系樹脂が好ましい。オレフィン系樹脂のなかには柔軟性があり、弾性にとみ、耐久性に優れ且つ安価なものがあるためである。オレフィン系樹脂とは二重結合を一つもつ不飽和鎖状炭化水素を有する樹脂をいう。
【００２０】
この弾性体２１による金属製筒体２２の被覆は金属製筒体全体を被覆する必要はなくゴミ袋が接触する箇所のみでよい。このゴミ袋保持部２にゴミ袋の口縁部を折り曲げて装着した場合は、この弾性体とゴミ袋の摩擦抵抗によりゴミを収納した場合でもその重みによりゴミ袋が外れることはない。従って、従来技術のゴミ容器の如く機械的なゴミ袋固定手段を設ける必要はない。
【００２１】
〔ゴミ容器〕
本願ゴミ容器１００は上記ゴミ保持具１にゴミ袋１０１を取付けたものをいう。このゴミ袋１０１は、市販のものを使用することができる。通常はポリエチレン等の透明又は半透明のものが使用される。市販のゴミ袋１０１は自治体の指定する寸法になっていてゴミ袋１０１の口縁部の寸法及びゴミ袋の深さを略同一に統一されている。このゴミ袋の大きさが特殊の場合はゴミ袋保持部２の大きさ及び支柱３の長さ寸法を適宜調整してゴミ袋保持具１を作製する。
【００２２】
図６はゴミ容器１００の組立て説明図である。ゴミ袋１０１をゴミ袋保持具１の備えるゴミ袋保持部２に上からまたは下から挿入する。
図７はゴミ袋１０１の取付け説明図である。該ゴミ袋１０１は口縁部１０１Ｔを折り返して該ゴミ袋保持部２に装着される。この際、両手で軽くゴミ袋をつまんで下方向に力Ｆを加えるとゴミ袋１０１はゴミ袋保持部２に被覆された弾性体との摩擦抵抗によりゴミ袋保持部２にしっかりと固着される。
【００２３】
このゴミ容器１００は、壁面が無いためゴミ袋１０１の規定の容量いっぱいにゴミを収納できる。即ち、従来のゴミ容器は内側にゴミ袋を設けるため、ゴミ袋に収納されるゴミの量はゴミ容器の形状に制限される。ゴミ袋の規定の容量いっぱいにゴミを収納するためには収納されたゴミを上から下方向に圧縮するか、又は、ゴミの収納されたゴミ袋を容器から取出し、次いでゴミ袋内のゴミを下方向に圧縮し、その後このゴミ袋を容器に入れなおす必要がある。一方、本願のゴミ容器１００は、上述のように壁面に制限されることが無いため、ゴミを収納していけば自然にゴミ袋１０１の規定の容量いっぱいにゴミを収納できる。
【００２４】
このゴミ袋１０１の口縁部１０１Ｔの周囲の寸法と、ゴミ袋保持部２の全周寸法との比は１０対９．８〜１０対７、好ましくは１０対９〜１０対７、特に好ましくは１０対９〜１０対８である。これらの寸法の比が１０対９．８を超えるとゴミ袋の装着が困難となるためであり、１０対７未満であると装着したゴミ袋がゴミの重量で脱着する場合が生じるからである。
又、ゴミ袋１０１の底が基台４に接触するようにゴミ袋１０１の口縁部１０１Ｔの折り返し量を調節する。
【００２５】
図８はゴミ袋１０１の外側に化粧袋１０２を更に設けた他の態様の本願ゴミ容器１００の組立て図ある。このゴミ容器１００に収納するゴミの種類が生ゴミ等の場合は見る者に不快感を与える。このため、ゴミを見せないために上記の化粧袋１０２を設けることが好ましい。この化粧袋１０２の材質は不透明であり且つ柔軟性のある撥水性の樹脂コーティング材であることが好ましい。洗濯が容易であって常に清潔を保つことができるためである。この化粧袋１０２の取付けは、口縁部１０２Ｔを折り返して、ゴミ袋１０１と同様に取付ける。
【００２６】
本願ゴミ容器１００は蓋１０３及び／又はキャスタ１０４を備えることが好ましい。ゴミ内容物に臭気の発生するものが含まれる場合は、人に不快感を与えるのを防止するためである。また、キャスタ１０４を備えるのはゴミを収納してゴミ容器１００の重量が増した場合に移動を容易にするためである。
図９は蓋１０３及びキャスタ１０４を備える本願ゴミ容器１００の組立て説明図である。
【００２７】
図１０は蓋及びキャスタを備えたゴミ容器１００の状態を示す図である。
図１１は蝶番１０５を備えた開閉部１０６を設けた他の態様の蓋である。この開閉部１０６の材質は透明樹脂であることが好ましい。ゴミの分別収集をする場合に中身の確認ができ、且つ美観に優れるためである。この透明樹脂には、着色された半透明のものも含まれる。
【図面の簡単な説明】
【００２８】
【図１】本願ゴミ袋保持具の斜視図である。
【図２】後板５の取付け説明図である。
【図３】支柱３を一体に作製した後板５の取付け説明図である。
【図４】図１に係る平面図である。
【図５】図４に係るＡ−Ａ切断断面図である。
【図６】本願ゴミ容器の組立て説明図である。
【図７】ゴミ袋の取付け説明図である。
【図８】化粧袋を備える本願ゴミ容器の組立て説明図である。
【図９】蓋及びキャスタを備える本願ゴミ容器の組立て説明図である。
【図１０】蓋及びキャスタを備えたゴミ容器の状態を示す図である。
【図１１】蝶番を備えた開閉部を有する他の態様の蓋である。
【符号の説明】
【００２９】
１        ゴミ袋保持具
２        ゴミ袋保持部
２１      弾性体
２２      金属製筒体
３        支柱
４        基台
５        後板
１００    ゴミ容器
１０１    ゴミ袋
１０１Ｔ  ゴミ袋の口縁部
１０２    化粧袋
１０３    蓋
１０４    キャスタ
１０５    蝶番
１０６    開閉部
【図１】
0003155847.tif 000003
【図２】
0003155847.tif 000004
【図３】
0003155847.tif 000005
【図４】
0003155847.tif 000006
【図５】
0003155847.tif 000007
【図６】
0003155847.tif 000008
【図７】
0003155847.tif 000009
【図８】
0003155847.tif 000010
【図９】
0003155847.tif 000011
【図１０】
0003155847.tif 000012
【図１１】
0003155847.tif 000013